(57)【特許請求の範囲】
【請求項１】
ラベルに、商品価格等に関する商品情報を印字機構を介してバーコード印字するラベルプリンタにおいて、中央処理装置と、該中央処理装置に接続され、商品に付されたバーコードから商品の種別情報と商品の価格情報を入力するための商品情報入力手段と、該商品情報入力手段から入力された第１の価格情報を記憶するための第１の記憶手段と、前記中央処理装置に接続され前記第１の価格情報の値下げに関する変更情報を入力するための価格変更情報入力手段と、前記商品情報入力手段からの情報がＰＬＵ方式か否か判別する商品情報判定手段と、前記価格変更情報入力手段より入力された変更情報に基づき前記第１の価格情報を変更して第２の価格情報を作成する新価格作成手段と、該新価格作成手段により作成された第２の価格情報を記憶するための第２の記憶手段と、前記商品情報判定手段の判定が「ＹＥＳ」の場合には、前記ラベルに表示されている価格情報を操作部より入力し、前記新価格作成手段より作成した前記第２の価格情報と、前記商品に付されたバーコードから商品の種別情報と、を新商品情報としてＣＯＤＥ１２８、ＮＯＮ−ＰＬＵ方式の単数のバーコードで作成し、「ＮＯ」の場合には、前記第２の価格情報と、前記商品に付されたバーコードから商品の種別情報と、を新商品情報としてＪＡＮ、ＮＯＮ−ＰＬＵ方式の単数のバーコードで作成する新商品情報作成手段と、該新商品情報作成手段により作成された前記新商品情報を前記印字機構に出力する出力手段とを具備することを特徴とするラベルプリンタ。
【請求項２】
さらに、前記第１及び第２の価格情報を伝送するための伝送手段を具備することを特徴とする請求項１に記載のラベルプリンタ。
【発明の詳細な説明】
【０００１】
【発明の属する技術分野】
本発明は、ラベルに商品価格等の商品情報をバーコード印字するラベルプリンタに係り、特にＰＯＳシステムにおいて商品価格を値下げ変更する場合に、商品に予め付されたバーコードを読み取って、値下げ新価格をバーコード印字するラベルプリンタに関する。
【０００２】
【従来の技術】
近年、スーパーマーケット等の生鮮食品や日配品等の各部門におけるタイムセールス（時間帯別値引き販売）では、商品価格を値下げ変更する場合、旧価格のバーコードをスキャナ等で読み取り、値引き計算を行った新価格をバーコード化してラベルに印字するラベルプリンタが使用されている。
そして、このバーコードラベルを値引きする商品に貼付し、レジでは新価格のバーコードラベルをスキャナで読み取っている。
【０００３】
【発明が解決しようとする課題】
ところで、商品に付されるバーコードには、メーカーまたは発売元において、その製造段階または出荷段階であらかじめ商品やその包装等にＪＡＮコードを印刷または貼付して店に納入されるソースマーキングと、小売店で個々の商品や商品包装にＪＡＮコードラベルを貼付して行うインストアマーキングとがある。たとえば、生鮮食品や量り売りをする食料品等はインストアマーキングとなる。
【０００４】
ソースマーキングのＪＡＮコードは、そのもの自体には商品名や価格等の意味は持っておらず、ＰＯＳシステム(一般にはＰＯＳターミナル)内部のＰＬＵ(Price Look Up)テーブルから、各アイテム毎のＪＡＮコードに対応する価格、商品名、部門コード、税区分などを検索する、ＰＬＵ方式を採用している。
【０００５】
一方、インストアマーキングの場合はソースマーキングと異なり自社コードでよく、価格を含めてバーコード化できる。この場合、同じＪＡＮシンボルであるがＮＯＮ−ＰＬＵ方式となる。
【０００６】
従って、同じ店内に価格情報入りのバーコード(ＮＯＮ−ＰＬＵ)が付された商品と価格情報なしのバーコード(ＰＬＵ)が付された商品が存在し、以下のように値引き作業を困難にしている。
【０００７】
(i)予めＰＬＵ方式のバーコードが付された商品から値引きする場合；
レジのＰＯＳターミナルでは、図１３中の１００に示す如きメーカーコード、アイテムコードのバーコード(即ち、ＰＬＵ方式のバーコード)と、図１３中の１０１に示す如くラベルに印字された値下げ新価格のバーコード(即ち、ＮＯＮ−ＰＬＵ方式のバーコード)の２つのバーコードを光学的読み取り機等で入力しなければならず、仮に前者だけを入力すれば値引き忘れとなる。
【０００８】
従って、値下げ価格のラベルを貼付する際にも、２つのバーコードが光学的に読み取りできるように、ある程度方向や間隔を考えて貼り付けなければならない。
【０００９】
(ii)予めＮＯＮ−ＰＬＵ方式のバーコードラベルが付された商品から値引きする場合；
新価格、旧価格のいずれもバーコードラベル化されているため、レジのＰＯＳターミナルでは確実に新価格のバーコードを読み取らなければならない。そのために、値下げ価格のラベルを貼付する際には旧価格のバーコードラベルの上に新価格のバーコードラベルを重ねて貼付している。
【００１０】
以上のように、従来のラベルプリンタを用いた値引き作業では、値引きラベルを貼付する場合も、レジでバーコードラベルをスキャナ読み取りする場合も誤操作する危険性を伴い、値引き品が適正に値引かれない、というトラブルが発生していた。
【００１１】
本発明は上記従来技術の問題に鑑みなされたもので、本発明は値引きする商品に値引きラベルを貼付する際にも、レジのＰＯＳターミナルでバーコードラベルをスキャナ読み取りする際にも、予め商品に付されたバーコードがＰＬＵ方式かＮＯＮ−ＰＬＵ方式かを意識することなく、一つのバーコードラベルを扱えばよいラベルプリンタを提供することを目的としている。
【００１２】
【課題を解決するための手段】
上記課題を解決するため、本発明のラベルプリンタは、中央処理装置と、該中央処理装置に接続され、商品に付されたバーコードから商品の種別情報と商品の価格情報を入力するための商品情報入力手段と、該商品情報入力手段から入力された第１の価格情報を記憶するための第１の記憶手段と、前記中央処理装置に接続され前記第１の価格情報の値下げに関する変更情報を入力するための価格変更情報入力手段と、前記商品情報入力手段からの情報がＰＬＵ方式か否か判別する商品情報判定手段と、前記価格変更情報入力手段より入力された変更情報に基づき前記第１の価格情報を変更して第２の価格情報を作成する新価格作成手段と、該新価格作成手段により作成された第２の価格情報を記憶するための第２の記憶手段と、前記商品情報判定手段の判定が「ＹＥＳ」の場合には、前記ラベルに表示されている価格情報を操作部より入力し、前記新価格作成手段より作成した前記第２の価格情報と、前記商品に付されたバーコードから商品の種別情報と、を新商品情報としてＣＯＤＥ１２８、ＮＯＮ−ＰＬＵ方式の単数のバーコードで作成し、「ＮＯ」の場合には、前記第２の価格情報と、前記商品に付されたバーコードから商品の種別情報と、を新商品情報としてＪＡＮ、ＮＯＮ−ＰＬＵ方式の単数のバーコードで作成する新商品情報作成手段と、該新商品情報作成手段により作成された前記新商品情報を前記印字機構に出力する出力手段とを具備することを特徴とする。また、さらに前記第１及び第２の価格情報を伝送するための伝送手段を具備することが好ましい。
【００１３】
上記構成により、請求項１の発明では、予めＰＬＵ方式のバーコードが付された商品は元売価を含まず、商品情報(メーカーコード、アイテムコード)のみであるため、商品情報判定手段から元売価の入力を促される。
次に、オペレータが入力した元売価に基づき、新価格作成手段が第２の価格情報を作成する。
そして、新商品情報作成手段は第２の価格情報と元の商品情報からなる新商品情報をＣＯＤＥ１２８方式のバーコードで作成し、印字機構からラベルに印字する。
一方、予めＮＯＮ−ＰＬＵ方式のバーコードが付された商品は元売価を含むので、これに基づいて新価格作成手段が第２の価格情報を作成する。
そして、新商品情報作成手段は第２の価格情報と元の商品情報からなる新商品情報をＪＡＮ、ＮＯＮ−ＰＬＵ方式のバーコードで作成し、印字機構からラベルに印字する。
【００１４】
以上のようにして発行された値下げラベルは元のラベルの商品情報と第２の新価格情報を含むので、値下げ時にはこの１枚のラベルを商品の元のバーコードの上に重ねて貼ればよく、レジでもこの１枚のラベルをスキャナ等で読み取ればよい。
請求項２の発明によれば、変更前の旧価格と変更後の新価格に関するデータを記憶して、ストアコントローラ等のホストコンピユータに伝送できる。
【００１５】
【発明の実施の形態】
以下に本発明の好ましい実施の形態を図１ないし図１２に基づいて説明する。
【００１６】
図１は、本実施形態に係るラベルプリンタの外観斜示図を示すものである。１は、ラベルプリンタ本体で、その上部にはＬＣＤよりなる表示部２と、キーボードよりなる操作部３とが設けられている。表示部２は、オペレータによる操作部３の入力操作によって所定の信号が後述する制御部４に送られ、制御部４の所定の指令信号によって商品コード、商品価格、オペレータへの操作指令等が表示されるものである。
【００１７】
操作部３は、価格変更情報入力手段としての機能を果たすもので、図２に示されるように、数字０〜９を含み、価格データや数値データなどを置数するための数字キー５と、各種打ち込みデータの設定及び格納をするための登録キー６と、打ち込みデータの伝送モードへの移行をさせるための伝送キー７と、一連の業務処理のメニュー画面への移送を示す設定キー８と、各種の業務実行中において表示部２に前画面を呼び出すための呼出キー９と、表示部２に所定の画面を選択した場合及び数字の入力時にカーソルを左右にシフトさせるための左シフトキー１０及び右シフトキー１１と、ラベル２３を印字することなく空送りするための紙送りキー１２と、ラベル２３を印字発行するための発行キー１３と、表示部２における表示画面を初期化するためのクリアキー１４と、その他各種のファンクションキーが配置されている。
【００１８】
また、ラベルプリンタ本体１の側部には、図１に示すように、商品情報入力手段としてのスキャナ１５が着脱自在に取り付けられるスキャナ取り付け部１６と、図示しないホストコンピユータに所定のデータを伝送するためのケーブルが着脱自在に取り付けられるＲＳ２３２Ｃを有する外部機器接続部１７が設けられている。なお、１８はラベルプリンタ本体１の前部に設けられたラベル発行口、１９は電源スイッチである。
【００１９】
また、ラベルプリンタ本体１の内部には、印字機構２０が設けられており、この印字機構２０を、図３に基づき説明する。まず、２１は、帯状台紙２２に所定の大きさのラベル２３を剥離可能に連成してなるロール状ラベル連続体であり、このロール状ラベル連続体２１は、ラベルプリンタ本体１の所定位置に回転可能に保持されていると共に、その先端部は、サーマルヘッド２４とプラテン２５間、剥離ピン２６、一対の回転ローラ２７を介して巻き取り部（図示せず）に巻取られる様になっている。そして、図示しない駆動モータの駆動によりラベル連続体が矢印方向に移送され、この移送に伴いサーマルヘッド２４とプラテン２５間でラベル２３に所望のバーコード印字が施され、この印字の施されたラベル２３は剥離ピン２６にて帯状台紙２２より剥離されて、前記ラベルプリンタ本体１の前部に設けたラベル発行口１８より一枚ずつラベル発行されるようになっている。
【００２０】
次に、図４は、本発明の要部をなすラベルプリンタの制御部４を示すブロック図である。同図において、２８は制御部４本体を構成する中央処理装置（ＣＰＵ）であって、このＣＰＵ２８は、バスライン２９を介して表示部２、操作部３、ＲＯＭ３０（リードオンリーメモリ）、ＲＡＭ３１（ランダムアクセスメモリ）、スキャナ制御部３２、伝送制御部３３、印字機構制御部３４にそれぞれ接続されて、各表示部２、操作部３、ＲＯＭ３０、ＲＡＭ３１、スキャナ制御部３２、伝送制御部３３、印字機構制御部３４をそれぞれ制御するようになっている。なお、前記スキャナ制御部３２には、ラベルのバーコードを読み取るためのスキャナ１５が前記スキャナ取り付け部１６を介して着脱自在に取り付けられている。
【００２１】
また、前記伝送制御部３３には、前記外部機器接続部１７が接続されており、前記印字機構制御部３４には、前記印字機構２０が接続されている。
【００２２】
前記ＲＯＭ３０は、各部を制御するためのメイン処理プログラムが格納されたメイン処理プログラムメモリ３５と、前記スキャナ１５より読み取ったバーコードデータを解析処理するための読み取りプログラムの格納された読み取りプログラムメモリ３６と、印字機構制御部３４を介して印字機構２０の印字動作を制御するための印字制御プログラムの格納された印字制御プログラムメモリ３７と、アップロード用の伝送データを基に所定の伝送データを作成すると共に伝送制御を行う通信プログラムの格納された通信プログラムメモリ３８と、から構成されている。
【００２３】
前記ＲＡＭ３１には、表示部２に表示されるデータを格納するための表示メモリ３９と、スキャナ１５より読み取ったバーコードデータを格納するための読み取りメモリ４０と、スキャナ１５より読み取ったバーコードデータにおける商品の旧価格データを格納するための旧価格メモリ４１と、操作部３より入力された値下げ処理区分に関するデータを格納するための値下げ区分メモリ４２と、操作部３から入力された商品の値下げ処理区分に関する演算論理式を記憶するための演算論理レジスタ４７と、前記旧価格メモリ４１の旧価格データと値下げ区分メモリ４２の値下げ処理区分に関するデータとに基づき演算処理を行い商品の新価格を算出するために使用される演算ワークメモリ４３と、演算結果メモリ４４における演算結果、即ち商品の新価格を格納するための演算結果メモリ４４と、演算結果メモリ４４の新価格データが転送されて新価格を有する商品情報のバーコードデータが生成されるバーコード生成メモリ４５と、バーコード生成メモリ４５中の新価格商品情報を有するバーコードデータを印字機構制御部３４に転送する際に、前記新価格商品情報を有するバーコードデータを一時的に記憶する印字データバッファ４８と、ストアコントローラ、ワークステーション等のホストコンピユータに伝送するデータを格納するための伝送データメモリ４６と、が設けられている。
【００２４】
図５は、値下処理をされる前の商品に貼付されたラベル２３ａを示すものであり、このラベル２３ａにはＪＡＮ、ＮＯＮ−ＰＬＵの１３桁で表示された商品コード、商品価格等の商品データがバーコードで表示されると共に、その商品の価格が８００円である旨の表示が人間に可読な文字で表示されている（なお、図示はしないが、以下の説明中では値下処理前の商品ラベル２３ａがＪＡＮ、ＰＬＵの場合も発生する）。
【００２５】
図６は本実施形態のラベルプリンタにより発行された値下処理後のラベル２３ｂを示し、このラベル２３ｂにはＪＡＮ、ＮＯＮ−ＰＬＵの１３桁で表示された商品コード、新商品価格等の商品データがバーコードで表示されると共に、その商品の新価格が７２０円である旨の表示が人間に可読な文字で表示されている。図７は本実施形態のラベルプリンタにより発行された値下処理後のラベル２３ｃを示し、このラベル２３ｃにはＣＯＤＥ１２８で表示された商品コード、新商品価格等の商品データがバーコードで表示されると共に、その商品の新価格が７２０円である旨の表示が人間に可読な文字で表示されている。このＣＯＤＥ１２８ラベル２３ｃは、後述するように値引き前の商品に付されたバーコードがＰＬＵの場合に発行されるもので、そのバーコード構成は図１２に示すように、元の商品に付されたバーコード▲１▼に値下げ価格等を含ませたものである。
【００２６】
次に、本実施形態にかかるラベルプリンタの値下げラベル発行処理操作について図８、９に基づき説明する。なお、図８は値下げラベル発行処理に関わる装置のブロック図、図９は操作に関わるフロー図である。
【００２７】
まず、プリンタ本体１の電源を投入すると、ＣＰＵ２８がＲＯＭ３０のメイン処理プログラムに従い処理を行なうと共に、ステップ１(図９)で表示メモリ３９に値下げ処理区分に関するデータが格納されて表示部２に表示される。
【００２８】
オペレータは、ステップ２で操作部３におけるキー入力操作により所望の値下げ処理区分業務の選択を行う。値下げ処理区分業務としては、旧価格より一定の金額を値下げする定額値下げ、旧価格より一定の率を値下げする％値下げ、旧価格に対し新たな値下げ価格を設定する新価格値下げ等がある。なお、商品の値下げ処理そのものではないが、商品を廃棄処分する場合があり、この商品廃棄も本発明でいう商品の値下げ処理区分業務に含まれるものとする。なお、本実施例では、オペレータが定額値下げを選択したものとして以下説明をする。この定額値下げを選択すると、そのデータはＲＡＭ３１の値下げ区分メモリ４２に格納されると共にデータの解析処理がなされてデータ伝送メモリ４６に転送される。
【００２９】
次に、ステップ３で操作部３の数字キー５等を操作して、所望の定額値下げ金額、本実施の形態では８０円を入力すると、このデータは、定額値下げの演算式として演算論理レジスタ４７に格納される。
【００３０】
次いで、ステップ４でスキャナ１５を用いて図５に示されるラベル２３ａのバーコードをスキャンすると、スキャナ１５で読み取られたバーコードデータは、ＲＯＭ３０の読み取りデータプログラムに従い解析され、ＲＡＭ３１の読み取りメモリ４０に格納される。
前記解析処理では、バーコードがＰＬＵ方式か否かを判定する(例えば、ＪＡＮ、ＰＬＵ方式では先頭が国コードであるから、日本の国コード４５，４９であるか否かを判定する；ステップ５)。そして、「ＹＥＳ」の場合は表示部２にメッセージを表示する等してオペレータに元売価の入力を促す。
ステップ６でオペレータが元売価を操作部３の数字キー５等を操作して入力する。
この元売価は、前記読み取りメモリ４０のバーコードデータにおける商品の旧価格データとしてＲＡＭ３１の旧価格メモリ４１に格納される。
【００３１】
次いで、この旧価格データは、演算ワークメモリ４３において、演算論理レジスタ４７の定額値下げ演算式と共に演算処理されて値下げした新価格データが作成される(ステップ７)。本実施の形態では、旧価格８００円より８０円値下げした７２０円の新価格データである。
【００３２】
この新価格データは、ステップ８で演算結果メモリ４４に格納されると共にバーコード生成メモリ４５に転送され、このバーコード生成メモリ４５にて商品コードデータ等が付されて新価格商品のバーコードデータがＣＯＤＥ１２８で生成される(ステップ８)。
【００３３】
この新価格商品のバーコードデータは、印字データバッファ４８に転送され、オペレータが所定の印字発行枚数を指定した上で(ステップ９)、操作部３の発行キー１３を押し下げると、発行枚数のデータが印字データバッファ４８にセットされると共に、この印字データバッファ４８のデータは、ＲＯＭ３０の印字制御プログラムに従い印字制御部を介して印字機構２０に出力され、ラベルへ２３のバーコード印字が行われて、図７に示す様な、値下げされた新価格７２０円を表示するラベル２３ｃが所定枚数発行される(ステップ１０)。
こうして発行されたバーコードラベルは、ＣＯＤＥ１２８の特性として、最も大量の文字数字を記号化できるバーコードであるため、元のＰＬＵコードに含まれた商品情報と、値引き新価格情報を共に含ませることができる(図１２中の”Ｃセット”を参照)。
一方、前記ステップ５の処理で、バーコードがＰＬＵ方式でない（「ＮＯ」）の場合は、スキャナ１５で読み取られたバーコードデータは、商品の旧価格データとしてＲＡＭ３１の旧価格メモリ４１に格納される。
【００３４】
次いで、この旧価格データは、演算ワークメモリ４３において、演算論理レジスタ４７の定額値下げ演算式と共に演算処理されて値下げした新価格データが作成される(ステップ１１)。
【００３５】
この新価格データは、演算結果メモリ４４に格納されると共にバーコード生成メモリ４５に転送され、このバーコード生成メモリ４５にて商品コードデータ等が付されて新価格商品のバーコードデータがＪＡＮ、ＮＯＮ−ＰＬＵ方式で生成される(ステップ１２)。
この新価格商品のバーコードデータは、印字データバッファ４８に転送され、前述のステップ９に合流する。
但し、この場合に印字発行されるのは図６、２３ｂに示す如きＪＡＮ、ＮＯＮ−ＰＬＵ方式のバーコードラベルである。
【００３６】
以上のステップ５〜１２、９、１０を経て発行されたバーコードラベルは、元のバーコードラベルと比較して価格が変更されているだけなのでＪＡＮ、ＮＯＮ−ＰＬＵ方式の桁数で十分である。
そして、前述のＣＯＤＥ１２８の場合も、ＪＡＮ、ＮＯＮ−ＰＬＵ方式の場合も、元のバーコード中に存在した値引き後にも必要な情報を含んでいるので、新しいラベルは元のラベルの上に重ねて貼れば良く、レジでも新しいラベルのみをスキャナ読み取りすればよい。
【００３７】
次に、前記演算結果メモリ４４の新価格データは、伝送データメモリ４６に転送される。この伝送データメモリ４６では、旧価格メモリ４１より転送される旧価格データと、バー種別解析処理を介して読み取りメモリ４０より転送される読み取りバーコードデータと、印字データバッファ４８より転送される印字発行枚数に関するデータと、値下げ区分メモリ４２より転送される値下げ区分データとに基づき、ＲＯＭ３０の通信プログラムに従ってＳＴＸ、ＥＴＸ，ＢＣＣが付加されてアップロード用の伝送データが作成される。
なお、図１０は、値下げ処理１件分の伝送データの構成を示す概念図である。
【００３８】
図１０における値下げ区分の欄には定額値下げ、％値下げ、新価格値下げ等を区別するためのデータが、バー種別の欄にはインストア０２、インストア２０、ＪＡＮ１３桁、ＪＡＮ８桁等のバーコードの種類を区別するためのデータが、読み取りバーコードの欄にはスキャナ１５より読み取った旧価格の商品のバーコードのデータが、旧価格の欄には旧価格メモリ４１より転送された旧価格に関するデータが、新価格の欄には、演算結果メモリ４４より転送された新価格に関するデータが、発行枚数の欄には印字データバッファ４８を介して転送されたラベル発行枚数に関するデータが、それぞれ所定の形式で記載されている。
【００３９】
なお、ＳＴＸの欄は、ＳＴＡＲＴＯＦＴＥＸＴ、ＥＴＸの欄は、ＥＮＤＯＦＴＥＸＴ、ＢＣＣの欄は、ＢＬＯＣＫＣＨＥＣＫＣＨＡＲＡＣＴＥＲを示し、更にダミーの欄には、ＳＴＸからＢＣＣまでの桁数を所定の桁数にするためのデータが記載されている。
【００４０】
次に、前記ラベルプリンタにおける、データの伝送操作について図１１に示すフローチャートに基づいて説明する。
【００４１】
まず、オペレータが電源を投入すると（ステップ２１）、ＣＰＵ２８はＲＡＭ３１の伝送データメモリ４６をチェツクして、伝送データメモリ４６中に伝送すべきデータ、即ち電源投入前に値下げ処理をしたデータが格納されているか否かを判断する（ステップ２２）。ステップ２２において、伝送データが格納されている場合には、ステップ２３に移り、ＣＰＵ２８は表示部２に「伝送して下さい」というメッセージを表示して、オペレータに伝送すべき伝送データが格納されていることを知らせ、スッテプ２４の処理に移る。
【００４２】
ステップ２４では、前記伝送データをホストコンピユータに伝送するか否かの確認メッセージが表示部２に表示され、オペレータが「伝送する」を選択すると、スッテプ２５において伝送データメモリ４６中の所定の伝送データが伝送制御部３３を介してホストコンピユータに伝送される。
【００４３】
また、前記ステップ２２において、ＣＰＵ２８が伝送データメモリ４６に伝送データが格納されていないと判断した場合には、ステップ２６に移る。ステップ２６では、上述した値下げラベル発行処理業務が行われる。そして、値下げラベル発行業務の終了後、オペレータがステップ２７で伝送キー７を押し下げると、スッテプ２３の処理に移行し、次いでステップ２４、スッテプ２５を順次介して伝送データメモリ４６中のデータの伝送が行われる。
【００４４】
なお、スッテプ２４において、オペレータがデータを「伝送しない」旨を選択すると、ステップ２６の値下げラベル発行処理業務に移る。
【００４５】
以上により、電源投入時にデータ伝送メモリに伝送データが格納されていた場合及び電源投入時にデータ伝送メモリに伝送データが格納されておらず、その後ラベルプリンタの値下げラベル発行処理によって伝送データが伝送データメモリ４６に格納された場合のホストコンピユータに対するデータ伝送が実現できる。
【００４６】
なお、前記実施形態におけるスキャナ１５は、ペンスキャナであっても良く、またタッチスキャナであっても良く、更にその他のバーコード読み取り装置であっても良く、本発明の商品情報入力手段としては、バーコード印字された商品情報を入力できる手段であれば何でも良い。
【００４７】
また、価格変更情報として定額値下げを開示したが、本発明はこれに限られることなく、旧価格より一定の率を値下げする％値下げ、旧価格に対し新たな値下げ価格を設定する新価格値下げであっても良く、更に、商品を廃棄処分する場合があり、この商品廃棄も本発明でいう価格変更情報に含まれるものとする。
【００４８】
さらに、ラベル２３への印字機構２０として剥離ピン２６の位置にて帯状台紙２２よりラベル２３が一枚ずつ剥離されるよう構成したが本発明はこれに限ることなく、ラベルが帯状台紙２２より剥離されることなく帯状台紙２２と共に連続してラベル発行口１８より発行されるように構成しても良く、その他の構成についても本発明の要旨を逸脱する事なく種々変更可能である。
【００４９】
【発明の効果】
以上詳述したとおり、本発明のラベルプリンタによれば、値下げ前の旧価格を示す為のバーコードがソースマーキングのＰＬＵかインストアマーキングのＮＯＮ−ＰＬＵかに関わらず、商品に付されたバーコードを商品情報入力手段により入力し、値下げされた商品に関する新商品情報を一枚のラベルにバーコード印字し得るから、値下げ現場では単に旧価格に係るバーコード上に新価格のバーコードラベルを重ねて貼れば良く、レジにおいては光学的読み取り機を使用して上記ラベルより新価格情報を読み取ることができ、従来の如く、レジにて光学読み取りすべきバーコードが単数、複数混在することがなくなり、入力作業に伴う値引き忘れがなくなると共に新価格商品の入力作業を迅速に行い得て、レジにおける混雑が解消される。
【００５０】
また、本発明によれば、商品の旧価格としての第１の価格情報と値下げ価格としての第２の価格情報とを記憶させておくことができると共に伝送可能としたから、第１及び第２の価格情報をホストコンピュータに伝送してデータ処理を行うことにより、スーパーマーケットのバックヤード等における売価変更伝票の処理作業が不要となり、伝票への値下げ金額の記入、集計作業や記入、集計ミス、が解消され、作業の簡素化を図ることができ、更に、商品の値下げ予算をどの様に消化しているか各担当者が迅速且つ確実に把握することができ、不要な在庫の残らない、きめ細かい商品管理を行うことができる。
【図面の簡単な説明】
【図１】本発明に係るラベルプリンタの外観斜視図である。
【図２】操作部の正面図である。
【図３】印字機構の概略図である。
【図４】制御部のブロック図である。
【図５】旧価格の表示されたラベルの正面図である。
【図６】新価格の表示されたラベルの正面図である。
【図７】新価格の表示されたラベルの正面図である。
【図８】値下げラベル発行処理に関わる装置部分のブロック図である。
【図９】値下げラベル発行処理の操作に係るフローチャートである。
【図１０】値下げ処理１件分の伝送データの構成を示す概念図である。
【図１１】伝送操作を示すフローチャートである。
【図１２】ＣＯＤＥ１２８のバーコード構成を示す説明図である。
【図１３】ＰＬＵのソースマーキングと値引きのインストアマーキングが付された商品を示す説明図である。
【符号の説明】
３  操作部
１５  スキャナ
２８  ＣＰＵ
３０  ＲＯＭ
３１  ＲＡＭ
４０  読み取りメモリ
４１  旧価格メモリ
４２  値下げ区分メモリ
４３  演算ワークメモリ
４４  演算結果メモリ
４５  バーコード生成メモリ
４６  伝送データメモリ
【図１】
0004493762.tif 000002
【図２】
0004493762.tif 000003
【図３】
0004493762.tif 000004
【図４】
0004493762.tif 000005
【図５】
0004493762.tif 000006
【図６】
0004493762.tif 000007
【図７】
0004493762.tif 000008
【図８】
0004493762.tif 000009
【図９】
0004493762.tif 000010
【図１０】
0004493762.tif 000011
【図１１】
0004493762.tif 000012
【図１２】
0004493762.tif 000013
【図１３】
0004493762.tif 000014